(57)【要約】【課題】スイッチ部がオンしている状態で、省エネモード実行していると言ったユーザによる故障勘違いを防止できるようにする。【解決手段】エンジン基板１０４への通電要否に基づいてサブ電源部１０１からエンジン基板１０４への通電及び、メイン電源部１０２から制御基板１０３への通電を各々制御するＣＰＵ３２は、エンジン基板１０４への通電否に対応して第１省エネモードを設定し、当該モードの設定後、サブＳＷ１３がオフ操作されたか否かを検出し、サブＳＷ１３のオフ操作が検出されない場合であって、第１省エネモードが設定されている場合に、サブ電源RLY１１をオフし、サブ電源部１０１への通電を停止して当該第１省エネモードを実行し、その後、第２省エネモードを設定し、サブＳＷ１３のオン状態をオフ状態にリセットすると共に、メインＳＷ１２をオフ制御し、メイン電源部１０２への通電を停止して第２省エネモードを実行するものである。【選択図】    図１
2012218348.tif 000002
【特許請求の範囲】
【請求項１】
被制御基板に電力を供給する第１電源部に接続されたオン／オフ制御可能な第１スイッチ部と、
制御基板に電力を供給する第２電源部に接続されたオン／オフ操作及びオフ制御が可能な第２スイッチ部と、
前記制御基板に接続されたオン／オフ操作及びオフ制御が可能で、かつ、オン／オフの指示が目視可能な第３スイッチ部と、
前記制御基板に設けられ、前記被制御基板への通電要否に基づいて前記第１電源部から前記被制御基板への通電及び、前記第２電源部から前記制御基板への通電を各々制御する制御部とを備え、
前記第１電源部から前記被制御基板への通電を停止して電力消費を省く動作を第１省エネモードとし、
前記第１電源部から前記被制御基板への通電を停止すると共に、前記第２電源部から前記制御基板への通電を停止して電力消費を省く動作を第２省エネモードとしたとき、
前記制御部は、
前記被制御基板への通電否に対応して前記第１省エネモードを設定し、
前記第１省エネモードの設定後、前記第３スイッチ部がオフ操作されたか否かを検出し、
前記第３スイッチ部のオフ操作が検出された場合は、前記第１スイッチ部をオフし前記第１電源部への通電を停止して当該第１省エネモードを実行し、
前記第３スイッチ部のオフ操作が検出されない場合であって、前記第１省エネモードが設定されている場合に、
前記第１スイッチ部をオフし前記第１電源部への通電を停止して当該第１省エネモードを実行し、
その後、前記第２省エネモードを設定し、前記第３スイッチ部のオン状態をオフ状態にリセットすると共に、前記第２スイッチ部をオフ制御し、前記第２電源部への通電を停止して前記第２省エネモードを実行することを特徴とする電源制御装置。
【請求項２】
前記第１電源部から前記被制御基板への通電の要否を検出する検出部が設けられ、
前記検出部から前記制御部へ通電要否検出信号が出力されることを特徴とする請求項１に記載の電源制御装置。
【請求項３】
前記制御部は、
前記検出部から出力される通電要否検出信号に基づいて省エネタイマーを起動し、
前記省エネタイマーのカウントアップ後に前記第１省エネモードを設定することを特徴とする請求項２に記載の電源制御装置。
【請求項４】
前記制御部は、
前記第１電源部から前記被制御基板へ電力を供給する動作を通常動作モードとしたとき、
前記第１省エネモードを設定した後、前記検出部から出力される通電要否検出信号に基づいて前記第１省エネモードから通常動作モードへの復帰を判別することを特徴とする請求項３に記載の電源制御装置。
【請求項５】
前記制御部は、
前記第１省エネモードから通常動作モードへの復帰判別に基づいて前記第２省エネモードを設定することを特徴とする請求項４に記載の電源制御装置。
【請求項６】
画像を形成する画像形成部を含む被制御基板と、
前記被制御基板に電力を供給する第１電源部と、
前記第１電源部から被制御基板への通電の要否に基づいて前記画像形成部を制御する制御基板と、
前記制御基板に電力を供給する第２電源部と、
前記第１及び第２電源部への通電を制御する請求項１乃至５に記載の電源制御装置とを備えることを特徴とする画像形成装置。
【発明の詳細な説明】
【技術分野】
【０００１】
この発明は、ジョブ待機時や、ジョブ終了等により、省エネモードを自動的に実行するプリンタや複写機、これらの複合機等の省エネ電源制御に適用して好適な電源制御装置及び画像形成装置に関するものである。
【背景技術】
【０００２】
近年、カラー用の画像情報に基づいて色画像を形成するカラープリンタや、原稿の画像を読み取ってカラー画像再生用の画像信号を出力するスキャン機能を備えたカラー用の複写機や、複合機が使用される場合が多くなってきた。例えば、パーソナルコンピュータ等の外部装置から赤色（Ｒ）、緑色（Ｇ）及び青色（Ｂ）系の画像データに基づいて色画像を形成するデジタルカラープリンタが広く使用されている。
【０００３】
この種のプリンタにおいて、電子写真方式を採用したカラープリンタによれば、ＲＧＢ系の画像データを色変換した後のイエロー（Ｙ）色、マゼンタ（Ｍ）色、シアン（Ｃ）色及び黒（ＢＫ）色用の画像データに基づいてカラーのトナー像を形成する画像形成部が備えられる。画像形成部は、Ｙ，Ｍ，Ｃ，ＢＫ色の像形成出力機能を各々分担する画像形成ユニットを備え、各作像色毎に帯電器によって一様に帯電された感光体ドラムに、画像データに基づいて静電潜像が、ポリゴンミラー等を使用した走査露光部により形成される。
【０００４】
この静電潜像は各作像色毎に現像器によって現像される。このような帯電、露光、現像を行い、感光体ドラム上に形成されたカラートナー像が、例えば、中間転写ベルト上で重ね合わされ、ここに重ね合わされたカラートナー像が転写部によって用紙に転写される。用紙は、用紙給紙部によって、給紙トレイから転写部へ搬送される。所定の転写材上に転写されたトナー像は、定着部により定着される。この結果、画像データに基づくカラー画像を所定の用紙に形成することができる。
【０００５】
上述の画像形成部や、転写部、定着部、用紙給紙部等は、被制御用の電源部に接続される。これらを駆動する定着駆動部や、給紙駆動部、制御用の中央演算装置（ＣＰＵ）、像形成駆動部、転写駆動部等が被制御基板（エンジン基板等）に実装される。また、被制御基板を制御する制御基板は、制御用の電源に接続される。この種の制御用の電源部や、被制御用の電源部は電源制御装置によって制御される場合が多い。
【０００６】
図７は、従来例に係るカラープリンタ２００の電源制御系の構成例を示すブロック図である。カラープリンタ２００は、サブ電源部１０１、メイン電源部１０２、エンジン基板１０４及び電源制御装置５００を有して構成される。電源制御装置５００は、エンジン基板１０４への電源供給制御を実行するために、サブ電源リレー開閉器（以下でサブ電源RLY１１という）、メイン電源開閉器（以下メインＳＷ１２１という）、サブ電源開閉器（以下サブＳＷ１３１という）及び制御基板１０３を有して構成される。
【０００７】
サブ電源RLY１１は、一端がメインＳＷ１２１の負荷側に接続され、その他端がサブ電源部１０１に接続される。サブ電源RLY１１は、サブ電源部１０１の他に制御基板１０３に接続される。サブ電源RLY１１のオン／オフ制御は、制御基板１０３から出力されるリレー制御信号Ｓ１に基づいて行われる。サブ電源RLY１１の内部には、電磁コイル１１０が設けられる。電磁コイル１１０は、オン状態にあるスイッチ接点を強制的に引き離すソレノイドを構成する。
【０００８】
サブ電源RLY１１は、例えば、ハイ・レベルのリレー制御信号Ｓ１を電磁コイル１１０に通電するとオン動作する。ロー・レベルのリレー制御信号Ｓ１を電磁コイル１１０に通電した場合は、サブ電源RLY１１がオフ動作する。これにより、サブ電源ＲＬＹ１１のオン／オフ動作に応じてサブ電源部１０１をオン／オフ制御できるようになる。
【０００９】
サブ電源部１０１は、電源側がサブ電源RLY１１に接続され、負荷側がエンジン基板１０４に接続される。サブ電源部１０１は、サブ電源RLY１１のオン／オフ動作に応じてエンジン基板１０４へ電力を供給する。例えば、サブ電源部１０１は商用電源のＡＣ電圧から複数の駆動電圧Ｖｉ（ｉ＝１〜ｎ）を生成する。サブ電源部１０１は、エンジン基板１０４に複数の駆動電圧Ｖｉ（ｉ＝１〜ｎ）を印加して駆動電力を供給する。
【００１０】
メインＳＷ１２１の一端は、商用電源に接続され、その他端がメイン電源部１０２及び、上述のサブ電源RLY１１に接続される。メインＳＷ１２１のオン／オフ操作はユーザによって行われる。メイン電源部１０２は、その一端がメインＳＷ１２１に接続され、その他端が制御基板１０３に接続される。メイン電源部１０２は、メインＳＷ１２１のオン／オフ操作に応じて制御電力を制御基板１０３に供給する。例えば、メイン電源部１０２は商用電源のＡＣ電圧から制御電圧Ｖｃを生成する。メイン電源部１０２は、制御基板１０３に制御電圧Ｖｃを印加して制御電力を供給する。
【００１１】
メイン電源部１０２には制御基板１０３が接続され、サブＳＷ１３１のオン／オフ操作に応じてエンジン基板１０４を制御する。制御基板１０３には制御用のＣＰＵ３４が設けられる。例えば、制御基板１０３では、サブＳＷ１３１のオン操作に応じてＣＰＵ３４がサブ電源RLY１１をオン制御する。反対に、制御基板１０３では、サブＳＷ１３１のオフ操作に応じて、ＣＰＵ３４がサブ電源RLY１１をオフ制御する。制御基板１０３は、サブ電源部１０１からエンジン基板１０４への通電の要否に基づいて当該エンジン基板１０４を制御する。上述のサブＳＷ１３１は、制御基板１０３に接続され、サブＳＷ１３１のオン／オフ操作はユーザによって行われる。
【００１２】
電源制御装置５００で、サブ電源部１０１及びメイン電源部１０２への通電を制御する場合に、ＣＰＵ３４が、メインＳＷ１２１及びサブＳＷ１３１のオン／オフ操作に対応してメイン電源部１０２及びサブ電源部１０１を制御する。
【００１３】
［装置起動シーケンス］
図８は、カラープリンタ２００における装置起動シーケンス例を示す動作フローチャートである。カラープリンタ２００における装置起動シーケンス例によれば、図８に示すステップＳＴ１で、メインＳＷ１２１がオン操作されることにより、メイン電源部１０２がオンする。メイン電源部１０２がオンすることで、ステップＳＴ２で制御基板１０３のＣＰＵ３４が起動する。
【００１４】
その後、ステップＳＴ３でＣＰＵ３４はサブＳＷ１３１がオン操作されるのを待機する。サブＳＷ１３１のオン操作が検出されると、ステップＳＴ４でＣＰＵ３４はサブ電源RLY１１のオン動作を許可する。サブ電源RLY１１のオン動作が許可され、例えば、ハイ・レベルのリレー制御信号Ｓ１が電磁コイル１１０に通電されることで、ステップＳＴ５でサブ電源RLY１１がオン動作する。サブ電源RLY１１がオン動作することで、ステップＳＴ６でサブ電源部１０１がオンして、エンジン基板１０４へ通電される。これにより、ステップＳＴ７でエンジン基板１０４のＣＰＵ５５が起動する。
【００１５】
［装置停止シーケンス］
図９は、カラープリンタ２００における装置停止シーケンス例を示す動作フローチャートである。カラープリンタ２００における装置停止シーケンス例によれば、図９に示すステップＳＴ１１で、サブＳＷ１３１がオフ操作されるのを待機する。サブＳＷ１３１がオフ操作された場合は、ステップＳＴ１２でＣＰＵ３４は、サブ電源RLY１１の動作を不許可とする。
【００１６】
ステップＳＴ１３でサブ電源RLY１１のオン動作が不許可、例えば、ロー・レベルのリレー制御信号Ｓ１が電磁コイル１１０に通電されることで、サブ電源RLY１１がオフ動作となる。サブ電源RLY１１のオフ動作によって、ステップＳＴ１４でサブ電源部１０１がオフする。サブ電源部１０１がオフすることで、ステップＳＴ１５でエンジン基板１０４のＣＰＵ５５の動作が停止する（第１省エネモード）。
【００１７】
その後、ステップＳＴ１６でＣＰＵ３４はメインＳＷ１２１のオフ操作を待機する。メインＳＷ１２１のオフ操作が検出された場合は、ステップＳＴ１７でメイン電源部１０２がオフするので、ステップＳＴ１８で制御基板１０３のＣＰＵ３２がその動作を停止する（第２省エネモード）。
【００１８】
上述の電源制御装置に関連して、特許文献１には電源装置が開示されている。この電源装置によれば、電源回路、リセットスイッチ、異常検出用の複数の動作検出部、異常監視部、リセットスイッチ駆動部を備えて構成される。電源回路は、交流電源を入力し直流電圧に変換して負荷に対する供給電力を生成する。リセットスイッチは、電源回路に対する電力の供給および停止の切り替えを行う。動作検出部は電源回路または負荷の少なくともいずれかに対応する複数位置に設置され、漏電、過電流、過電圧、温度その他の各種の異常状態を検出する。異常監視部は動作検出部からの異常検出信号に基づいて異常判定処理を実行する。これらを前提にして、リセットスイッチ駆動部が異常監視部からの制御信号に基づいてリセットスイッチを駆動するようにした。
【００１９】
このように電源装置を構成すると、安全性の確保が図られるとともに、動作検出部、異常監視部等に電力を供給するための電源装置を独立して設ける必要がなくなり、コストダウンおよび省エネルギーが実現できるというものである。
【００２０】
更に、上述の電源制御装置に関連して、特許文献２には電源装置が開示されている。この電源装置によれば、負荷に電力を供給する場合に、複数の電源回路、リセットスイッチ、複数のスイッチ素子、複数の動作検出部、異常監視部、リセットスイッチ駆動部及び、スイッチ制御回路を備えられ、電源回路は各々が異なる負荷に電力を供給する。リセットスイッチは、電源装置に対する電力の供給および停止の切り替えを行う。スイッチ素子の各々は、複数の電源回路各々に対応して設けられた個々の電源回路に対する電力の供給および停止の切り替えを行う。
【００２１】
動作検出部の各々は、電源装置の複数の位置に設置された異常を検出する。異常監視部は、各々の動作検出部から出力される検出信号に基づいて異常判定処理を実行する。リセットスイッチ駆動部は、異常監視部から出力される制御信号に基づいてリセットスイッチを駆動する。これを前提にして、スイッチ制御回路が、異常監視部から出力される、スイッチ素子を特定した制御信号に基づいて複数のスイッチ素子を選択的に制御するようにした。このように電源装置を構成すると、電源回路個別の電力供給の停止処理を高速に実行できるので、より強固な安全性が維持できるというものである。
【００２２】
更に、上述の電源制御装置に関連して、特許文献３にも電源装置が開示されている。この電源装置によれば、遅延停止要請電源回路、早期停止電源回路、スイッチ素子及び遅延制御部を備え、遅延停止要請電源回路は、遅延した駆動停止処理を必要とする遅延停止要請負荷に対して電力を供給する。早期停止電源回路は、遅延した駆動停止処理を必要としない負荷に対して電力を供給する。スイッチ素子は、遅延停止要請電源回路の前段に設けられ、該遅延停止要請電源回路に対する電力供給および停止の切り替えを行う。
【００２３】
遅延制御部は、スイッチ素子の制御を行う際に、遅延停止要請電源回路および早期停止電源回路の双方から駆動電力を入力し、該入力電力に基づいてスイッチ素子の制御を実行する。これを前提にして、遅延制御部が早期停止電源回路からの供給電力停止後、遅延停止要請電源回路からの電力供給に基づいてスイッチ素子をオン状態に維持し、遅延停止要請電源回路に対する電力供給を継続させる処理を実行するようにした。このように電源装置を構成すると、異常停止処理後にも、駆動が必要な電力の供給を、既存の電源回路からの電力供給に基づいて継続して確実に実行できるというものである。
【先行技術文献】
【特許文献】
【００２４】
【特許文献１】特開２００４−２７４８８７号公報（第８頁  図１）
【特許文献２】特開２００４−２７４８８８号公報（第８頁  図１）
【特許文献３】特開２００４−２８０１８２号公報（第１０頁  図１）
【発明の概要】
【発明が解決しようとする課題】
【００２５】
ところで、従来例に係る電源制御装置５００を備えたカラープリンタ２００によれば、次のような問題があった。
ｉ．図７に示したカラープリンタ２００によれば、ジョブ終了後の装置停止シーケンス時、ステップＳＴ１１で、サブＳＷ１３１がオフ操作される。ステップＳＴ１２ではＣＰＵ３４によって、サブ電源RLY１１の動作が不許可されると、サブ電源RLY１１のオフ動作によって、ステップＳＴ１４でサブ電源部１０１がオフされる。サブ電源部１０１がオフすることで、ステップＳＴ１５でエンジン基板１０４のＣＰＵ５５の動作が停止する（第１省エネモード）。
【００２６】
しかし、ユーザがサブＳＷ１３１をオフ操作せずに、直接（いきなり）、メインＳＷ１２１のオフ操作を行った場合、サブ電源部１０１及び、メイン電源部１０２がオフすることで、サブＳＷ１３１がオン状態のままで、制御基板１０３のＣＰＵ３２や、エンジン基板１０４のＣＰＵ５５の動作が共に停止する第２省エネモードに移行してしまうという問題がある。
【００２７】
ii．従って、目視でオン／オフの判断が可能なメインＳＷ１２１及びサブＳＷ１３１において、メインＳＷ１２１がオフ状態であって、サブＳＷ１３１がオン状態となっていることから、ユーザが故障と勘違いするという問題がある。
【００２８】
iii．因みに、ジョブ終了後の装置停止シーケンスにおいて、特許文献１に見られるようなリセットスイッチ駆動部によって、異常監視部からの制御信号に基づいてリセットスイッチを駆動する方法や、特許文献２に見られるようなスイッチ制御回路によって、異常監視部から出力される、スイッチ素子を特定した制御信号に基づいて複数のスイッチ素子を選択的に制御する方法や、特許文献３に見られるような遅延制御部によって、早期停止電源回路からの供給電力停止後、遅延停止要請電源回路からの電力供給に基づいてスイッチ素子をオン状態に維持し、遅延停止要請電源回路に対する電力供給を継続させる処理を実行する方法と採ったとしても、iiの問題が懸念される。
【００２９】
そこで、この発明は上述した課題を解決したものであって、ジョブ終了後等において、自動的に省エネモードに移行できるようにすると共に、スイッチ部がオンしている状態で、省エネモード実行していると言ったユーザによる故障勘違いを防止できるようにした電源制御装置及び画像形成装置を提供することを目的とする。
【課題を解決するための手段】
【００３０】
上記課題を解決するために、請求項１に記載の電源制御装置は、被制御基板に電力を供給する第１電源部に接続されたオン／オフ制御可能な第１スイッチ部と、制御基板に電力を供給する第２電源部に接続されたオン／オフ操作及びオフ制御が可能な第２スイッチ部と、前記制御基板に接続されたオン／オフ操作及びオフ制御が可能で、かつ、オン／オフの指示が目視可能な第３スイッチ部と、前記制御基板に設けられ、前記被制御基板への通電要否に基づいて前記第１電源部から前記被制御基板への通電及び、前記第２電源部から前記制御基板への通電を各々制御する制御部とを備え、前記第１電源部から前記被制御基板への通電を停止して電力消費を省く動作を第１省エネモードとし、前記第１電源部から前記被制御基板への通電を停止すると共に、前記第２電源部から前記制御基板への通電を停止して電力消費を省く動作を第２省エネモードとしたとき、前記制御部は、前記被制御基板への通電否に対応して前記第１省エネモードを設定し、前記第１省エネモードの設定後、前記第３スイッチ部がオフ操作されたか否かを検出し、前記第３スイッチ部のオフ操作が検出された場合は、前記第１スイッチ部をオフし前記第１電源部への通電を停止して当該第１省エネモードを実行し、前記第３スイッチ部のオフ操作が検出されない場合であって、前記第１省エネモードが設定されている場合に、前記第１スイッチ部をオフし前記第１電源部への通電を停止して当該第１省エネモードを実行し、その後、前記第２省エネモードを設定し、前記第３スイッチ部のオン状態をオフ状態にリセットすると共に、前記第２スイッチ部をオフ制御し、前記第２電源部への通電を停止して前記第２省エネモードを実行することを特徴とするものである。
【００３１】
請求項１に係る電源制御装置によれば、オン／オフ制御可能な第１スイッチ部は、第１電源部に接続され、第１電源部は被制御基板に電力を供給する。オン／オフ操作及びオフ制御が可能な第２スイッチ部は、第２電源部に接続され、第２電源部は制御基板に電力を供給する。オン／オフ操作及びオフ制御が可能で、かつ、オン／オフの指示が目視可能な第３スイッチ部は、制御基板に接続される。制御部は、制御基板に設けられ、被制御基板への通電要否に基づいて第１電源部から被制御基板への通電及び、第２電源部から制御基板への通電を各々制御する。
【００３２】
制御部は、第３スイッチ部がオフ操作されたか否かを検出し、第３スイッチ部のオフ操作が検出された場合は、第１スイッチ部をオフし第１電源部への通電を停止して当該第１省エネモードを実行する。第３スイッチ部のオフ操作が検出されない場合であって、第１省エネモードが設定されている場合に、第１スイッチ部をオフし第１電源部への通電を停止して当該第１省エネモードを実行し、その後、第２省エネモードを設定し、第３スイッチ部のオン状態をオフ状態にリセットすると共に、第２スイッチ部をオフ制御し、第２電源部への通電を停止して第２省エネモードを実行するものである。
【００３３】
この構成によって、第２省エネモードの実行時、オン／オフ状態の目視可能な第３スイッチ部を強制的にオフ制御できるので、第３スイッチ部がオフ操作されない場合であって、第２スイッチ部が誤ってオフ操作された場合に、第３スイッチ部のオン状態をオフ状態にリセットしてから第２省エネモードを実行できるようになる。
【００３４】
請求項２に記載の電源制御装置は、請求項１において、前記第１電源部から前記被制御基板への通電の要否を検出する検出部が設けられ、前記検出部から前記制御部へ通電要否検出信号が出力されることを特徴とするものである。
【００３５】
請求項３に記載の電源制御装置は、請求項２において、前記制御部が、前記検出部から出力される通電要否検出信号に基づいて省エネタイマーを起動し、前記省エネタイマーのカウントアップ後に前記第１省エネモードを設定することを特徴とするものである。
【００３６】
請求項４に記載の電源制御装置は、請求項３において、前記制御部が、前記第１電源部から前記被制御基板へ電力を供給する動作を通常動作モードとしたとき、前記第１省エネモードを設定した後、前記検出部から出力される通電要否検出信号に基づいて前記第１省エネモードから通常動作モードへの復帰を判別することを特徴とするものである。
【００３７】
請求項５に記載の電源制御装置は、請求項４において、前記制御部が、前記第１省エネモードから通常動作モードへの復帰判別に基づいて前記第２省エネモードを設定することを特徴とするものである。
【００３８】
請求項６に記載の画像形成装置は、画像を形成する画像形成部を含む被制御基板と、前記被制御基板に電力を供給する第１電源部と、前記第１電源部から被制御基板への通電の要否に基づいて前記画像形成部を制御する制御基板と、前記制御基板に電力を供給する第２電源部と、前記第１及び第２電源部への通電を制御する請求項１乃至５に記載の電源制御装置とを備えることを特徴とするものである。
【００３９】
請求項６に係る画像形成装置によれば、本発明の電源制御装置とを備えるので、第２省エネモードの実行時、オン／オフ状態の目視可能な第３スイッチ部を強制的にオフ制御できるようになる。従って、第３スイッチ部がオフ操作されない場合であって、第２スイッチ部が誤ってオフ操作された場合に、第３スイッチ部のオン状態をオフ状態にリセットしてから第２省エネモードを実行できるようになる。
【発明の効果】
【００４０】
請求項１に係る電源制御装置によれば、被制御基板への通電要否に基づいて第１電源部から当該被制御基板への通電及び、第２電源部から制御基板への通電を各々制御する制御部を備え、この制御部は、オン／オフ操作及びオフ制御が可能で、かつ、目視可能な第３スイッチ部がオフ操作されたか否かを検出し、第３スイッチ部のオフ操作が検出されない場合であって、第１省エネモードが設定されている場合に、第１スイッチ部をオフし第１電源部への通電を停止して当該第１省エネモードを実行し、その後、第２省エネモードを設定し、第３スイッチ部のオン状態をオフ状態にリセットすると共に、第２スイッチ部をオフ制御し、第２電源部への通電を停止して第２省エネモードを実行するものである。
【００４１】
この構成によって、第２省エネモードの実行時、オン／オフ状態の目視可能な第３スイッチ部を強制的にオフ制御できるので、第３スイッチ部がオフ操作されない場合であって、第２スイッチ部が誤ってオフ操作された場合に、第３スイッチ部のオン状態をオフ状態にリセットしてから第２省エネモードを実行できるようになる。従って、ジョブ終了後等において、自動的に省エネモードに移行できるようになると共に、第２省エネモード実行中、第３スイッチ部がオンしている状態で、省エネモード実行していると言ったユーザによる故障勘違いを防止できるようになる。
【００４２】
請求項２に係る電源制御装置によれば、検出部から出力される通電要否検出信号に基づいて省エネタイマーを起動し、当該省エネタイマーのカウントアップ後に第１省エネモードを設定できるようになる。
【００４３】
請求項３に係る電源制御装置によれば、第１省エネモードが設定されるので、第１電源部から被制御基板への通電を停止して電力消費を省くことができる。
【００４４】
請求項４に係る電源制御装置によれば、通電要否検出信号に基づいて第１省エネモードから通常動作モードへの復帰を判別するので、第２省エネモードへ移行する前に、通常動作モードへ復帰できるようになる。
【００４５】
請求項５に係る電源制御装置によれば、第１省エネモードから通常動作モードへの復帰判別に基づいて第２省エネモードを設定するので、通常動作モードへの復帰要求が無い場合に第２省エネモードへ移行できるようになる。
【００４６】
請求項６に係る画像形成装置によれば、本発明の電源制御装置とを備えるので、第２省エネモードの実行時、オン／オフ状態の目視可能な第３スイッチ部を強制的にオフ制御できるようになる。従って、第３スイッチ部がオフ操作されない場合であって、第２スイッチ部が誤ってオフ操作された場合に、第３スイッチ部のオン状態をオフ状態にリセットしてから第２省エネモードを実行できるようになる。これにより、第２省エネモード実行中、第３スイッチ部がオンしている状態で、省エネモード実行していると言ったユーザによる故障勘違いを防止できるようになる。
【図面の簡単な説明】
【００４７】
【図１】本発明に係る実施形態としてのカラープリンタ１００の電源制御系の構成例を示すブロック図である。
【図２】カラープリンタ１００の構成例を示す概念図である。
【図３】カラープリンタ１００における省エネ移行シーケンス例（その１）を示す動作フローチャートである。
【図４】カラープリンタ１００における省エネ移行シーケンス例（その２）を示す動作フローチャートである。
【図５】カラープリンタ１００における省エネ移行シーケンス例（その３）を示す動作フローチャートである。
【図６】カラープリンタ１００における省エネ移行シーケンス例（その４）を示す動作フローチャートである。
【図７】従来例に係るカラープリンタ２００の電源制御系の構成例を示すブロック図である。
【図８】カラープリンタ２００における装置起動シーケンス例を示す動作フローチャートである。
【図９】カラープリンタ２００における装置停止シーケンス例を示す動作フローチャートである。
【発明を実施するための形態】
【００４８】
以下、図面を参照しながら、この発明の実施形態に係る電源制御装置及び画像形成装置について説明をする。図１に示すカラープリンタ１００は画像形成装置の一例を構成し、省エネ機能を有している。カラープリンタ１００は、本発明に係る電源制御装置５０、サブ電源部１０１、メイン電源部１０２及び、エンジン基板１０４を有して構成される。エンジン基板１０４は被制御基板の一例を構成する。電源制御装置５０は、エンジン基板１０４への電源供給制御を実行するために、サブ電源リレー開閉器（以下でサブ電源RLY１１という）、メイン電源開閉器（以下メインＳＷ１２という）、サブ電源開閉器（以下サブＳＷ１３という）及び制御基板１０３を有して構成される。
【００４９】
サブ電源RLY１１はオン／オフ制御可能な第１スイッチ部の一例を構成し、一端がメインＳＷ１２の負荷側に接続され、その他端がサブ電源部１０１に接続される。サブ電源RLY１１は、サブ電源部１０１の他に制御基板１０３に接続される。サブ電源RLY１１のオン／オフ制御は、制御基板１０３から出力されるリレー制御信号Ｓ１に基づいて行われる。サブ電源RLY１１の内部には、電磁コイル１１０が設けられる。電磁コイル１１０は、オン状態にあるスイッチ接点を強制的に引き離すソレノイドを構成する。
【００５０】
サブ電源RLY１１は、例えば、ハイ・レベルのリレー制御信号Ｓ１を電磁コイル１１０に通電するとオン動作する。ロー・レベルのリレー制御信号Ｓ１を電磁コイル１１０に通電した場合は、サブ電源RLY１１がオフ動作する。これにより、サブ電源ＲＬＹ１１のオン／オフ動作に応じてサブ電源部１０１をオン／オフ制御できるようになる。
【００５１】
サブ電源部１０１は被制御用電源であって、第１電源部の一例を構成し、電源側がサブ電源RLY１１に接続され、負荷側がエンジン基板１０４に接続される。サブ電源部１０１は、サブ電源RLY１１のオン／オフ動作に応じてエンジン基板１０４へ電力を供給する。
【００５２】
例えば、サブ電源部１０１は商用電源１４のＡＣ電圧から複数の駆動電圧Ｖｉ（ｉ＝１〜ｎ）を生成する。駆動電圧Ｖｉには、帯電用の電圧Ｖ１や、現像用の電圧Ｖ２、転写用の電圧Ｖ３、給紙用の電圧Ｖ４、定着用の電圧Ｖ５等が含まれる。サブ電源部１０１は、エンジン基板１０４に複数の駆動電圧Ｖｉ（ｉ＝１〜ｎ）を印加して駆動電力を供給する。サブ電源部１０１は、図示しない変圧器や、整流素子、コンデンサ、抵抗等を有しており、昇圧回路や、電圧分配回路等を有して構成される。
【００５３】
サブ電源部１０１にはエンジン基板１０４が接続される。エンジン基板１０４には、例えば、定着駆動部１７ｍや、給紙駆動部２０ｍ、制御用のＣＰＵ５５、像形成駆動部６０ｍ、転写駆動部７０ｍ、反転駆動部９０ｍ等が含まれる。もちろん、エンジン基板１０４に、ＣＰＵ５５や、これらの駆動部の他に、図２に示す定着装置１７や、用紙給紙部２０、画像形成部６０、２次転写部７０、ＡＤＵ反転ユニット９０等を実装した装置本体部１０５も含めてもよい（図２参照）。
【００５４】
定着駆動部１７ｍは定着駆動データＤ１７に基づいて定着装置１７を駆動する。定着駆動データＤ１７はＣＰＵ５５から定着駆動部１７ｍへ出力される。定着駆動部１７ｍは定着駆動データＤ１７をデコードして定着駆動信号Ｓ１７を生成し、定着駆動信号Ｓ１７を定着装置１７に出力する。定着装置１７は定着駆動信号Ｓ１７に基づいて定着処理を実行する。
【００５５】
給紙駆動部２０ｍは、用紙搬送データＤ２０に基づいて用紙給紙部２０を駆動する。用紙搬送データＤ２０はＣＰＵ５５から給紙駆動部２０ｍへ出力される。給紙駆動部２０ｍは用紙搬送データＤ２０をデコードして用紙搬送信号Ｓ２０を生成し、用紙搬送信号Ｓ２０を用紙給紙部２０に出力する。用紙給紙部２０は用紙搬送信号Ｓ２０に基づいて用紙搬送処理を実行する。
【００５６】
像形成駆動部６０ｍは、画像データＤ６０に基づいて画像形成ユニット１０Ｙ，１０Ｍ，１０Ｃ，１０Ｋを駆動する。画像データＤ６０には、Ｙ色作像用の画像データＤｙ、Ｍ色作像用の画像データＤｍ、Ｃ色作像用の画像データＤｃ、ＢＫ色作像用の画像データＤｋが含まれる。画像データＤｙ，Ｄｍ、Ｄｃ、Ｄｋは、各々対応してＣＰＵ５５から画像形成ユニット１０Ｙ，１０Ｍ，１０Ｃ，１０Ｋへ出力される。
【００５７】
転写駆動部７０ｍは、転写駆動データＤ７０に基づいて２次転写部７０を駆動する。転写駆動データＤ７０はＣＰＵ５５から転写駆動部７０ｍへ出力される。転写駆動部７０ｍは用紙搬送データＤ２０をデコードして用紙搬送信号Ｓ２０を生成し、用紙搬送信号Ｓ２０を２次転写部７０に出力する。２次転写部７０は転写駆動信号Ｓ７０に基づいて転写処理を実行する。
【００５８】
反転駆動部９０ｍは、反転駆動データＤ９０に基づいてＡＤＵ反転ユニット９０を駆動する。反転駆動データＤ９０はＣＰＵ５５から反転駆動部９０ｍへ出力される。反転駆動部９０ｍは反転駆動データＤ９０をデコードして反転搬送信号Ｓ９０を生成し、反転搬送信号Ｓ９０をＡＤＵ反転ユニット９０に出力する。ＡＤＵ反転ユニット９０は反転搬送信号Ｓ９０に基づいて反転処理を実行する。
【００５９】
この例で、ＣＰＵ３２は、第１省エネモードを設定した後、検出部３１から出力される通電要否検出信号Ｓ３１に基づいて第１省エネモードから通常動作モードへの復帰を判別する。ここに通常動作モードとはサブ電源部１０１からエンジン基板１０４へ電力を供給する動作をいう。第１省エネモードから通常動作モードへの復帰を判別すると、第２省エネモードへ移行する前に、通常動作モードへ復帰できるようになる。
【００６０】
ＣＰＵ３２は、第１省エネモードから通常動作モードへの復帰判別に基づいて第２省エネモードを設定する。通常動作モードへの復帰要求が有った場合は、第２省エネモードを設定することなく、通常動作モードへ復帰する。通常動作モードへの復帰要求が無い場合に、第２省エネモードを設定するので、サブ電源部１０１からエンジン基板１０４への通電を停止すると共に、メイン電源部１０２から制御基板１０３への通電を停止して電力消費を省くことができる。
【００６１】
この例では、サブ電源部１０１及びメイン電源部１０２への通電を制御する場合に、本発明に係る電源制御装置５０を備えるので、サブＳＷ１３がオフ操作されることなく、メインＳＷ１２がオフされた場合であっても、オン状態にあるサブＳＷ１３をオフに”リセット”してから第２省エネモードに移行できるようになる。メインＳＷ１２は、オン／オフ操作及びオフ制御が可能な第２スイッチ部の一例を構成し、目視でオン／オフの判断が可能なスイッチ手段である。
【００６２】
この例では、目視でオン／オフ状態の判断が可能なスイッチ手段を採用するようにしたのは、サブ電源部１０１及びメイン電源部１０２に対して、２つのスイッチ部（メインＳＷ１２，サブＳＷ１３）を備えた省エネモードの移行時に、サブ電源部１０１及びメイン電源部１０２の双方をメインＳＷ１２，サブＳＷ１３によってオフさせ、ユーザにメインＳＷ１２，サブＳＷ１３のオフの状態の機械態様を認識させることを目的としている。メインＳＷ１２の一端は、例えば、商用電源１４に接続され、その他端がメイン電源部１０２及び、上述のサブ電源RLY１１に接続される。メインＳＷ１２のオン／オフ操作はユーザによって行われる。
【００６３】
メインＳＷ１２内には電磁コイル１２０が設けられ、電磁コイル１２０にはスイッチ制御信号Ｓ２が供給される。メインＳＷ１２のオフ制御は、例えば、オン操作されているメインＳＷ１２の電磁コイル１２０にロー・レベルのスイッチ制御信号Ｓ２を供給することで、メインＳＷ１２を強制的に目視可能なオフ状態にできるようになっている。
【００６４】
メイン電源部１０２は制御電源であって、第２電源部の一例を構成し、その一端がメインＳＷ１２に接続され、その他端が制御基板１０３に接続される。メイン電源部１０２は、メインＳＷ１２のオン／オフ操作に応じて制御電力を制御基板１０３に供給する。例えば、メイン電源部１０２は商用電源１４のＡＣ電圧から制御電圧Ｖｃを生成する。メイン電源部１０２は、制御基板１０３に制御電圧Ｖｃを印加して制御電力を供給する。メイン電源部１０２は、図示しない変圧器や、整流素子、コンデンサ、抵抗等を有しており、例えば、定電圧安定回路等を含み構成される。
【００６５】
メイン電源部１０２には制御基板１０３が接続され、サブＳＷ１３のオン／オフ操作及び、オフ制御に応じてエンジン基板１０４を制御する。例えば、制御基板１０３では、サブＳＷ１３のオン操作に応じてサブ電源RLY１１をオン制御する。反対に、制御基板１０３では、サブＳＷ１３のオフ操作又はオフ制御に応じてサブ電源RLY１１をオフ制御する。
【００６６】
また、制御基板１０３は、サブ電源部１０１からエンジン基板１０４への通電の要否に基づいて定着装置１７や、用紙給紙部２０、制御用のＣＰＵ５５、画像形成部６０、２次転写部７０、ＡＤＵ反転ユニット９０等を制御する。この例で、制御基板１０３には、検出部３１及び制御用の中央演算装置（以下ＣＰＵ３２という）が設けられる。
【００６７】
図示せずも、制御基板１０３には、検出部３１、ＣＰＵ３２、省エネタイマー３３の他にＲＡＭや、ＲＯＭ、固定磁気ディスク装置（ＨＤＤ）等が実装される。制御基板１０３には、操作＆表示部４８が接続される。操作＆表示部４８は、図示しないモニタや、タッチパネル等の入力ツールから構成される。
【００６８】
上述のサブＳＷ１３は、オン／オフ操作及びオフ制御が可能で、かつ、オン／オフの指示が目視可能な第３スイッチ部の一例を構成し、制御基板１０３に接続されている。サブＳＷ１３のオン／オフ操作はユーザによって行われる。サブＳＷ１３内には、電磁コイル１３０が設けられる。電磁コイル１３０は、オン状態にあるスイッチ接点を強制的に引き離すソレノイドを構成する。
【００６９】
電磁コイル１３０にはスイッチ制御信号Ｓ３が供給される。サブＳＷ１３のオフ制御は、例えば、オン操作されているサブＳＷ１３の電磁コイル１３０にロー・レベルのスイッチ制御信号Ｓ３を供給することで、サブＳＷ１３を強制的に目視可能なオフ状態にできるようになっている。
【００７０】
検出部３１は、サブ電源部１０１からエンジン基板１０４への通電の要否を検出して、ＣＰＵ３２へ通電要否検出信号Ｓ３１を出力する。通電の要否内容には、操作＆表示部４８の操作画面上で、例えば、メニューボタンが押下され、何らかの入力を検知した場合や、何らかの動作指令を検知した場合、画像データの外部入力指令を検知した場合等が含まれる。
【００７１】
ＣＰＵ３２は、メインＳＷ１２及びサブＳＷ１３の操作に対応してメイン電源部１０２及びサブ電源部１０１を制御する。この例で、ＣＰＵ３２は第１及び第２省エネモードと、エンジン基板１０４への通電要否とに基づいてサブ電源部１０１からエンジン基板１０４への通電及び、メイン電源部１０２から制御基板１０３への通電を各々制御する。ここに第１省エネモードとは、サブ電源部１０１からエンジン基板１０４への通電を停止して電力消費を省く動作をいう。第２省エネモードとは、サブ電源部１０１からエンジン基板１０４への通電を停止すると共に、メイン電源部１０２から制御基板１０３への通電を停止して電力消費を省く動作をいう。
【００７２】
この例で、ＣＰＵ３２はエンジン基板１０４への通電否に対応して第１省エネモードを設定する。例えば、ＣＰＵ３２は、検出部３１から出力される通電要否検出信号Ｓ３１に基づいて省エネタイマー３３を起動し、省エネタイマー３３のカウントアップ後に、サブ電源部１０１に対して第１省エネモードを設定する。省エネタイマー３３は起動後、経過時間情報をＣＰＵ３２に出力する。
【００７３】
第１省エネモードの設定後、サブＳＷ１３がオフ操作されたか否かを検出し、サブＳＷ１３のオフ操作が検出された場合は、サブ電源RLY１１をオフし、サブ電源部１０１への通電を停止して当該第１省エネモードを実行する。第１省エネモードが実行されると、エンジン基板１０４における電力消費を省くことができる。
【００７４】
サブＳＷ１３のオフ操作が検出されない場合であって、第１省エネモードが設定されている場合、ＣＰＵ３２は、サブ電源RLY１１をオフし、サブ電源部１０１への通電を停止して当該第１省エネモードを実行する。第１省エネモードの実行によって、エンジン基板１０４における電力消費を省くことができる。
【００７５】
第１省エネモードの実行後、ＣＰＵ３２は第２省エネモードを設定し、サブＳＷ１３のオン状態をオフ状態にリセットすると共に、メインＳＷ１２をオフ制御し、メイン電源部１０２への通電を停止して第２省エネモードを実行する。第２省エネモードが実行されると、制御基板１０３における電力消費を省くことができる。
【００７６】
この例で、ＣＰＵ３２は、第１省エネモードを設定した後、検出部３１から出力される通電要否検出信号Ｓ３１に基づいて第１省エネモードから通常動作モードへの復帰を判別する。ここに通常動作モードとはサブ電源部１０１からエンジン基板１０４へ電力を供給する動作をいう。第１省エネモードから通常動作モードへの復帰を判別すると、第２省エネモードへ移行する前に、通常動作モードへ復帰できるようになる。
【００７７】
ＣＰＵ３２は、第１省エネモードから通常動作モードへの復帰判別に基づいて第２省エネモードを設定する。通常動作モードへの復帰要求が有った場合は、第２省エネモードを設定することなく、通常動作モードへ復帰する。通常動作モードへの復帰要求が無い場合に、第２省エネモードを設定するので、サブ電源部１０１からエンジン基板１０４への通電を停止すると共に、メイン電源部１０２から制御基板１０３への通電を停止して電力消費を省くことができる。
【００７８】
この例では、サブ電源部１０１及びメイン電源部１０２への通電を制御する場合に、本発明に係る電源制御装置５０を備えるので、サブＳＷ１３がオフ操作されることなく、メインＳＷ１２がオフされた場合であっても、オン状態にあるサブＳＷ１３をオフに”リセット”してから第２省エネモードに移行できるようになる。
【００７９】
続いて、図２を参照して、カラープリンタ１００の構成例について説明する。図２に示すカラープリンタ１００は装置本体部１０５を有している。装置本体部１０５には、画像形成部６０及び定着装置１７が備えられると共に、当該装置本体部１０５のほぼ中央には、２次転写部７０や、ＡＤＵ反転ユニット９０（Auto Duplex  Unit）等が備えられ、画像形成部６０の下方には、用紙給紙部２０が備えられる。
る。
【００８０】
カラープリンタ１００は、タンデム型の電子写真方式の画像形成装置から構成され、例えば、片面印刷モードが設定されると、画像形成部６０が画像情報に基づいて像担持体上にカラートナー像を形成し、その後、像担持体から所定の用紙Ｐへカラートナー像を転写し、定着装置１７でカラートナー像を定着した後の記録紙を排紙する。
【００８１】
画像形成部６０は、図１に示したＣＰＵ５５及び像形成駆動部６０ｍによって駆動制御される、無終端状の中間転写ベルト６（像担持体）を有している。画像形成部６０は、中間転写ベルト６に画像情報に基づくカラートナー像を形成するために、例えば、イエロー（Ｙ）色用の感光体ドラム１Ｙ（像担持体）を有する画像形成ユニット１０Ｙと、マゼンタ（Ｍ）色用の感光体ドラム１Ｍを有する画像形成ユニット１０Ｍと、シアン（Ｃ）色用の感光体ドラム１Ｃを有する画像形成ユニット１０Ｃと、黒（Ｋ）色用の感光体ドラム１Ｋを有する画像形成ユニット１０Ｋとを備えて構成される。
【００８２】
各々の画像形成ユニット１０Ｙ，１０Ｍ，１０Ｃ，１０Ｋは、図１に示したＣＰＵ５５及び像形成駆動部６０ｍによって駆動制御される。画像形成部６０では、当該感光体ドラム１Ｙ，１Ｍ，１Ｃ，１Ｋ毎に作像処理するようになされ、各色の感光体ドラム１Ｙ，１Ｍ，１Ｃ，１Ｋで作像処理された各色のトナー像が中間転写ベルト６上で重ね合わされ、色画像が形成される。
【００８３】
この例で、画像形成ユニット１０Ｙは、感光体ドラム１Ｙの他に、帯電器２Ｙ、画像書込みユニット３Ｙ、現像ユニット４Ｙ及び像形成体用のクリーニング部８Ｙを有して、イエロー（Ｙ）色の画像を形成する。感光体ドラム１Ｙは、例えば、中間転写ベルト６の右側上部に近接して回転自在に設けられ、Ｙ色のトナー像を形成する。この例で、感光体ドラム１Ｙは反時計方向に回転される。感光体ドラム１Ｙの斜め右側下方には、帯電器２Ｙが設けられ、感光体ドラム１Ｙの表面を所定の電位に帯電する。
【００８４】
感光体ドラム１Ｙのほぼ真横には、これに対峙して、画像書込みユニット３Ｙが設けられ、事前に帯電された感光体ドラム１Ｙに対して、Ｙ色用の画像データＤｙに基づく所定の強度を有したレーザー光を走査露光する。画像書込みユニット３Ｙには、例えば、ポリゴンミラー方式のレーザー露光走査装置が使用される。感光体ドラム１ＹにはＹ色用の静電潜像が形成される。
【００８５】
画像書込みユニット３Ｙの上方には現像ユニット４Ｙが設けられ、感光体ドラム１Ｙに形成されたＹ色用の静電潜像を現像するように動作する。現像ユニット４Ｙは、Ｙ色用の現像ローラを有している。現像ユニット４Ｙには、Ｙ色用のトナー剤及びキャリアが収納されている。
【００８６】
Ｙ色用の現像ローラは、内部に磁石が配置され、現像ユニット４Ｙ内でキャリアとＹ色トナー剤を攪拌して得られる２成分現像剤を感光体ドラム１Ｙの対向部位に回転搬送し、Ｙ色のトナー剤により静電潜像を現像する。以下で静電潜像をトナー剤により現像した画像をトナー像という。この感光体ドラム１Ｙに形成されたＹ色のトナー像は、１次転写ローラ７Ｙを動作させて中間転写ベルト６に転写される（１次転写）。感光体ドラム１Ｙの左側下方には、クリーニング部８Ｙが設けられ、前回の書込みで感光体ドラム１Ｙに残留したトナー剤を除去（クリーニング）するように動作する。
【００８７】
この例で、画像形成ユニット１０Ｙの下方には画像形成ユニット１０Ｍが設けられる。画像形成ユニット１０Ｍは、感光体ドラム１Ｍ、帯電器２Ｍ、画像書込みユニット３Ｍ、現像ユニット４Ｍ及び像形成体用のクリーニング部８Ｍを有して、マゼンタ（Ｍ）色の画像を形成する。画像形成ユニット１０Ｍの下方には画像形成ユニット１０Ｃが設けられる。画像形成ユニット１０Ｃは、感光体ドラム１Ｃ、帯電器２Ｃ、画像書込みユニット３Ｃ、現像ユニット４Ｃ及び像形成体用のクリーニング部８Ｃを有して、シアン（Ｃ）色の画像を形成する。
【００８８】
画像形成ユニット１０Ｃの下方には画像形成ユニット１０Ｋが設けられる。画像形成ユニット１０Ｋは、感光体ドラム１Ｋ、帯電器２Ｋ、画像書込みユニット３Ｋ、現像ユニット４Ｋ及び像形成体用のクリーニング部８Ｋを有して、ブラック（ＢＫ）色の画像を形成する。感光体ドラム１Ｙ，１Ｍ，１Ｃ，１Ｋには有機感光体（Organic Photo Conductor；ＯＰＣ）ドラムが使用される。
【００８９】
なお、画像形成ユニット１０Ｍ，１０Ｃ，１０Ｋの各部材の機能については、画像形成ユニット１０Ｙの同じ符号のものについて、ＹをＭ，Ｃ，Ｋに読み替えることで適用できるので、その説明を省略する。上述の１次転写ローラ７Ｙ，７Ｍ，７Ｃ及び７Ｋには、使用するトナー剤と反対極性（本実施例においては正極性）の１次転写バイアス電圧（転写用の電圧Ｖ３等）が印加される。
【００９０】
中間転写ベルト６上には、１次転写ローラ７Ｙ，７Ｍ，７Ｃ及び７Ｋによって転写されたトナー像が重合されてカラートナー像（カラー画像）が形成される。中間転写ベルト６上に形成されたカラー画像は、中間転写ベルト６が時計方向に回転することで、２次転写部７０に向けて搬送される。
【００９１】
２次転写部７０は、画像形成部６０の下方であって、中間転写ベルト６の最下方位置に配設される。２次転写部７０は、図１に示したＣＰＵ５５及び転写駆動部７０ｍによって駆動制御される。例えば、通常動作モードの実行時、中間転写ベルト６に形成されたカラーのトナー像を用紙Ｐに一括して転写する（２次転写）。中間転写ベルト６の左側上方にはクリーニング部８Ａが設けられ、２次転写後の中間転写ベルト６上に残存するトナー剤をクリーニングするように動作する。
【００９２】
２次転写部７０の下流側には定着装置１７が設けられ、カラー画像が転写された用紙Ｐを定着処理する。定着装置１７は、図１に示したＣＰＵ５５及び定着駆動部１７ｍによって駆動制御される。定着装置１７は、例えば、定着部１７Ａや定着クリニーグ部１７Ｂ等を有して構成される。定着部１７Ａは、定着ローラ、加圧ローラ及び加熱（ＩＨ）ヒータを有している。
【００９３】
定着処理は、加熱ヒータによって加熱される定着ローラ及び加圧ローラの間に用紙Ｐを通過させることで、当該用紙Ｐが加熱・加圧される。定着後の記録紙Ｐ’は、排紙ローラ２４に挟持されて機外の排紙トレイ２５上に排紙される。定着クリニーグ部１７Ｂは、前回の定着で定着ローラ等に残留したトナー剤を除去（クリーニング）するように動作する。
【００９４】
カラープリンタ１００には画像形成部６０や定着装置１７の他に、用紙給紙部２０を備えている。用紙給紙部２０は、図１に示したＣＰＵ５５及び給紙駆動部２０ｍによって駆動制御される。上述の画像形成ユニット１０Ｋの下方には、用紙給紙部２０が設けられ、図示しない複数の給紙トレイを有して構成される。各々の給紙トレイ内には、所定のサイズの用紙Ｐが収容される。
【００９５】
用紙給紙部２０から画像形成ユニット１０Ｋの下方に至る用紙搬送路には、搬送ローラ２２Ａ，２２Ｂ、ループローラ２２Ｃ、レジストローラ２３等が設けられる。例えば、レジストローラ２３は、用紙給紙部２０から繰り出された所定の用紙Ｐを搬送ローラ２２Ａ，２２Ｂ及びループローラ２２Ｃを介して受け取り、当該用紙Ｐを２次転写部７０の手前で保持し、画像タイミングに合わせて２次転写部７０へ送り出すようになされる。２次転写部７０は、中間転写ベルト６に担持された色画像を、レジストローラ２３によって用紙搬送制御される所定の用紙Ｐに転写する。
【００９６】
この例で、定着装置１７の下流側には、ＡＤＵ反転ユニット９０が設けられる。ＡＤＵ反転ユニット９０は、図１に示したＣＰＵ５５及び反転駆動部９０ｍによって駆動制御される。ＡＤＵ反転ユニット９０では、両面印刷モードが設定されると、画像形成部６０が画像情報に基づいて像担持体上にカラートナー像を形成する。
【００９７】
２次転写部７０では、中間転写ベルト６から所定の用紙Ｐへカラートナー像を転写し、定着装置１７でカラートナー像を定着した後の記録紙をＡＤＵ反転ユニット９０に搬送する。ＡＤＵ反転ユニット９０は循環再給紙路２７Ａ、反転搬送路２７Ｂ及び再給紙搬送路２７Ｃを有して構成され、第１面側（表面）に画像を形成した後の記録紙Ｐ’を取り込み、当該記録紙Ｐ’の搬送方向を逆転するスイッチバック路として使用される。これらにより、電源制御装置５０によって電源制御されるカラープリンタ１００を構成する。
【００９８】
続いて、図３〜図６を参照して、カラープリンタ１００における省エネ移行シーケンス例（その１〜４）について説明する。この例では、電源制御装置５０がサブ電源RLY１１、制御基板１０３、目視でオン／オフの判断が可能なメインＳＷ１２，サブＳＷ１３で構成され、サブ電源部１０１及びメイン電源部１０２を制御して省エネ機能を実現するカラープリンタ１００において、メインＳＷ１２をオフにすることで、省エネモードを実行する構成であって、省エネモード移行時、サブＳＷ１３をオフしてから、メインＳＷ１２をオフする場合を前提とする。
【００９９】
なお、サブ電源RLY１１には、例えば、ハイ・レベルのリレー制御信号Ｓ１が出力され、サブ電源RLY１１がオン状態で、サブ電源部１０１が通電状態となっている場合である。更に、ジョブ終了が検出された後、第１省エネモードを設定する際に第１待機時間が設定され、第１省エネモードから第２省エネモードへ移行する際には第２待機時間が設定される場合を例に挙げる。
【０１００】
これらを前提条件にして、図３に示すフローチャートのステップＳＴ２１で制御基板１０３のＣＰＵ３２は画像形成処理に関するジョブ終了を判別する。ジョブ終了の判断基準は、ＣＰＵ３２が比較基準となるジョブ数Ｊｂ＝０と、図示しない記憶部等に登録された画像形成処理に関するジョブ数Ｊｘとを比較し、両者の一致（Ｊｂ＝Ｊｘ）を検出することで行われる。
【０１０１】
両者の一致を検出してジョブ終了と判別された場合は、ステップＳＴ２２でＣＰＵ３２は省エネタイマー３３をスタート（起動）し、ステップＳＴ２３でＣＰＵ３２は、省エネタイマー３３をカウントする。省エネタイマー３３はスタートと共に経過時間情報をＣＰＵ３２に出力する。
【０１０２】
ステップＳＴ２４でＣＰＵ３２は第１省エネモードの設定時刻に到
達したかを判別する。このとき、ＣＰＵ３２は省エネタイマー３３から入力した経過時間情報と、予め設定された第１待機時間に係る時間情報とを比較する。ここに第１待機時間とは、ジョブ終了を検出した時刻（検出時刻）から第１省エネモードを設定する時刻（設定時刻）に至るまでの時間である。省エネタイマー３３のカウントは、経過時間が第１待機時間を経過したか否かを判別するためである。第１省エネモードの設定時刻に到達していない場合は、ステップＳＴ２３に戻ってＣＰＵ３２は省エネタイマー３３のカウントを継続する。
【０１０３】
経過時間が第１待機時間を経過して、第１省エネモードの設定時刻に到達した場合は、ステップＳＴ２５でＣＰＵ３２は第１省エネモードを設定する。第１省エネモードの設定では、ステップＳＴ２６でＣＰＵ３２がサブ電源RLY１１にオフ指令の出力を許可する。サブ電源RLY１１へのオフ指令は、例えば、ハイ・レベルのリレー制御信号Ｓ１をロー・レベルに立ち下げることを許可するものである。
【０１０４】
その後、図４に示すステップＳＴ２７でＣＰＵ３２は、サブＳＷ１３のオン／オフ操作に対応して制御を分岐する。サブＳＷ１３がユーザによってオフ操作された場合は、ステップＳＴ３４でＣＰＵ３２は、サブ電源RLY１１をオフする。このとき、制御基板１０３からサブ電源RLY１１へロー・レベルのリレー制御信号Ｓ１が出力される。これにより、ステップＳＴ３５でサブ電源部１０１がオフして通電を停止する。
【０１０５】
また、サブＳＷ１３がオン状態のままである場合は、ステップＳＴ２８でＣＰＵ３２は、サブ電源RLY１１をオフする。このときも、制御基板１０３からサブ電源RLY１１へロー・レベルのリレー制御信号Ｓ１が出力される。このロー・レベルのリレー制御信号Ｓ１によって、サブ電源RLY１１がオン状態からオフ状態になる。
【０１０６】
これにより、ステップＳＴ２９でサブ電源部１０１がオフすることで、ステップＳＴ３０でエンジン基板１０４の制御用のＣＰＵ５５が停止する（第１省エネモード）。第１省エネモードが実行されると、サブ電源部１０１の通電が停止されるので、エンジン基板１０４における電力消費を省くことができる。
【０１０７】
その後、ステップＳＴ３１でＣＰＵ３２は省エネタイマー３３をカウントする。省エネタイマー３３はスタートと共に経過時間情報をＣＰＵ３２に出力する。更に、ステップＳＴ３２でＣＰＵ３２は通常動作モードの復帰有無に対応して制御を分岐する。このとき、通常動作モードへ復帰する際に、ユーザは、操作＆表示部４８の操作画面上で、例えば、メニューボタン等を押下する。
【０１０８】
この押下操作を検出する検出部３１は、操作＆表示部４８の操作画面上で、例えば、メニューボタンが押下され、何らかの入力を検知した場合や、何らかの動作指令を検知した場合、画像データの外部入力指令を検知した場合等に、サブ電源部１０１からエンジン基板１０４への通電の要否を検出して、ＣＰＵ３２へ通電要否検出信号Ｓ３１を出力する。検出部３１は通電の要を検出した場合は、ＣＰＵ３２へハイ・レベルの通電要否検出信号Ｓ３１を出力する。通電の否を検出した場合は、ＣＰＵ３２へロー・レベルの通電要否検出信号Ｓ３１が出力される。
【０１０９】
通常動作モードに復帰していない場合は、検出部３１からＣＰＵ３２へロー・レベルの通電要否検出信号Ｓ３１が出力されることから、ロー・レベルの通電要否検出信号Ｓ３１を入力したＣＰＵ３２は、ステップＳＴ３３に移行して、第２省エネモードの設定時刻に到達したかを判別する。
【０１１０】
このとき、ＣＰＵ３２は省エネタイマー３３から入力した経過時間情報と、予め設定された第２待機時間に係る時間情報とを比較する。ここに第２待機時間とは、第１省エネモードの終了を検出した時刻（検出時刻）から第２省エネモードを設定する時刻（設定時刻）に至るまでの時間である。省エネタイマー３３のカウントは、経過時間が第２待機時間を経過したか否かを判別するためである。第２省エネモードの設定時刻に到達していない場合は、ステップＳＴ３１に戻ってＣＰＵ３２は省エネタイマー３３のカウントを継続する。
【０１１１】
その後、ステップＳＴ３２に戻って通常動作モードに復帰していない場合であって、経過時間が第２待機時間を経過して、ステップＳＴ３３で第２省エネモードの設定時刻に到達している場合は、図５に示すステップＳＴ３６でＣＰＵ３２は第２省エネモードを設定する。
【０１１２】
この例では、ステップＳＴ３７でＣＰＵ３２はサブＳＷ１３のオン／オフに対応して制御を分岐する。サブＳＷ１３がオフ状態である場合は、ステップＳＴ４４に移行してＣＰＵ３２は、サブ電源部１０１を起動しないで、電源制御を終了する。
【０１１３】
ステップＳＴ３７でサブＳＷ１３がオン状態のままとなっている場合は、ステップＳＴ３８に移行して、ＣＰＵ３２はサブＳＷ１３をオン状態からオフ状態へリセット処理する。このとき、ＣＰＵ３２は、制御基板１０３の図示しないスイッチ制御部からサブＳＷ１３内の電磁コイル１３０へ、ロー・レベルのスイッチ制御信号Ｓ３を出力する。電磁コイル１３０は、ハイ・レベルのスイッチ制御信号Ｓ３がロー・レベルに立ち下がることで、サブＳＷ１３がオン状態から強制的に目視可能なオフ状態になる。
【０１１４】
そして、ステップＳＴ３９でＣＰＵ３２はサブＳＷ１３のリセット処理を待ち、サブＳＷ１３のリセット処理の終了と共に、ステップＳＴ４０に移行する。ステップＳＴ４０でＣＰＵ３２はメインＳＷ１２をオンからオフへのリセット処理を実行する。このとき、ＣＰＵ３２は、制御基板１０３の図示しないスイッチ制御部からメインＳＷ１２内の電磁コイル１２０へ、ロー・レベルのスイッチ制御信号Ｓ２を出力する。電磁コイル１２０は、ハイ・レベルのスイッチ制御信号Ｓ２がロー・レベルに立ち下がることで、メインＳＷ１２が強制的に目視可能なオフ状態になる。
【０１１５】
ステップＳＴ４１でＣＰＵ３２はメインＳＷ１２のリセット処理を待ち、当該メインＳＷ１２のリセット処理の終了と共に、メインＳＷ１２がオン状態から強制的に目視可能なオフ状態になるので、ステップＳＴ４２でメイン電源部１０２がオフする。これにより、ステップＳＴ４３で制御用のＣＰＵ３２が停止するので、電源制御が終了する（第２省エネモード）。第２省エネモードが実行されると、制御基板１０３における電力消費及び、エンジン基板１０４における電力消費を省くことができる。
【０１１６】
一方、図４に示したステップＳＴ３２で通常動作モードに復帰した場合は、図６に示すステップＳＴ４５でＣＰＵ３２は省エネタイマー３３をリセットする。その後、ステップＳＴ４６でＣＰＵ３２はサブＳＷ１３のオン／オフ操作に基づいて制御を分岐する。
【０１１７】
サブＳＷ１３がオフ操作された場合は、図５に示したステップＳＴ４４に移行してＣＰＵ３２は、サブ電源部１０１を起動しないで、電源制御を終了する。上述のステップＳＴ４６でサブＳＷ１３がオン操作された場合は、ステップＳＴ４７でＣＰＵ３２はサブ電源RLY１１にオン指令を発行してその動作を許可する。このとき、制御基板１０３からサブ電源RLY１１へハイ・レベルのリレー制御信号Ｓ１が出力される。
【０１１８】
ステップＳＴ４８でハイ・レベルのリレー制御信号Ｓ１を入力したサブ電源RLY１１がオンすることで、ステップＳＴ４９でサブ電源部１０１がオンして通電を開始する。サブ電源部１０１は商用電源１４のＡＣ電圧から複数の駆動電圧Ｖｉ（ｉ＝１〜ｎ）を生成する。駆動電圧Ｖｉには、帯電用の電圧Ｖ１や、現像用の電圧Ｖ２、転写用の電圧Ｖ３、給紙用の電圧Ｖ４、定着用の電圧Ｖ５等が含まれる。サブ電源部１０１は、エンジン基板１０４に複数の駆動電圧Ｖｉ（ｉ＝１〜ｎ）を印加して駆動電力を供給する。
【０１１９】
その後、ステップＳＴ５０でＣＰＵ３２はエンジン基板１０４の制御用のＣＰＵ５５を起動する。ＣＰＵ５５は、サブ電源部１０１からエンジン基板１０４への通電に基づいて定着装置１７や、用紙給紙部２０、画像形成部６０、２次転写部７０、ＡＤＵ反転ユニット９０等を制御する。これにより、通常動作モードに基づく画像形成処理等が実行される。
【０１２０】
このように、実施形態としてのカラープリンタ１００によれば、本発明の電源制御装置５０を備えるので、第２省エネモードの実行時、オン／オフ状態の目視可能なサブＳＷ１３を強制的にオフ制御できるようになる。従って、サブＳＷ１３がオフ操作されない場合であって、メインＳＷ１２が誤ってオフ操作された場合に、サブＳＷ１３のオン状態をオフ状態にリセットしてから第２省エネモードを実行できるようになる。これにより、ジョブ終了後等において、自動的に省エネモードに移行できるようになると共に、ユーザによる第２省エネモード実行中の故障勘違いを防止できるようになる。
【産業上の利用可能性】
【０１２１】
この発明は、ジョブ待機時や、ジョブ終了等により、省エネモードを自動的に実行するプリンタや複写機、これらの複合機等の省エネ電源制御に適用して極めて好適である。
【符号の説明】
【０１２２】
１Ｙ，１Ｍ，１Ｃ，１Ｋ  感光体ドラム
３Ｙ，３Ｍ，３Ｃ，３Ｋ  画像書込みユニット（画像形成部）
４Ｙ，４Ｍ，４Ｃ，４Ｋ  現像ユニット（画像形成部）
６  中間転写ベルト
８Ａ，８Ｙ，８Ｍ，８Ｃ，８Ｋ  クリーニング部
１０Ｙ，１０Ｍ，１０Ｃ，１０Ｋ  画像形成ユニット（画像形成部）
１１  サブ電源RLY（第１スイッチ部）
１２  メインＳＷ（第２スイッチ部）
１３  サブＳＷ（第３スイッチ部）
１７  定着装置
１７Ａ  定着部
１７Ｂ  定着クリーニング部
１７ｍ  定着駆動部
２０  用紙給紙部
２０ｍ  給紙駆動部
２３  レジストローラ（搬送部材）
２７Ａ  循環再給紙路
２７Ｂ  反転搬送路
２７Ｃ  再給紙搬送路
３１  検出部
３２，５５  ＣＰＵ
３３  省エネタイマー
４８  操作＆表示部
６０  画像形成部
６０ｍ  像形成駆動部
７０  ２次転写部
７０ｍ  転写駆動部
９０  ＡＤＵ反転ユニット
９０ｍ  反転駆動部
１００  カラープリンタ
１０１  サブ電源部（第１電源部）
１０２  メイン電源部（第２電源部）
１０３  制御基板
１０４  エンジン基板（被制御基板）
１０５  装置本体部
【図１】
2012218348.tif 000003
【図２】
2012218348.tif 000004
【図３】
2012218348.tif 000005
【図４】
2012218348.tif 000006
【図５】
2012218348.tif 000007
【図６】
2012218348.tif 000008
【図７】
2012218348.tif 000009
【図８】
2012218348.tif 000010
【図９】
2012218348.tif 000011